(57)【特許請求の範囲】
【請求項１】
撮像レンズ及び撮像素子を含む撮像手段と、
前記撮像素子から所定のクロック周波数に対応するフレームレートで画像信号を読み出
す駆動手段と、
前記クロック周波数を可変する可変手段と、
ユーザからの指示入力を受け付けるための操作手段と、
前記操作手段が受け付けた指示を実行完了してからの経過時間を計測する計時手段と、
前記撮像手段から読み出された画像信号に基づくスルー画像を表示する表示手段と、
前記表示手段の輝度を決定する照明手段と、
前記照明手段の輝度を調整する照明光調整手段と、
前記可変手段及び前記照明光調整手段の動作制御を行う制御部と、
周囲の明るさを検出して検出値を出力する検出手段と、
前記検出値と、所定の閾値とを比較する比較手段と、
を備え、
前記計時手段が計測した経過時間が所定時間以上になると、前記可変手段は、前記クロック周波数をより低いクロック周波数に変更し、前記駆動手段は、前記変更されたより低いクロック周波数に基づく同期信号に従って前記撮像素子からの画像信号の読み出しを行うと共に、前記照明光調整手段は、前記照明手段の輝度をより低い輝度に調整し、前記照明手段は調整されたより低い輝度により前記表示手段の輝度を決定し、
前記比較手段が比較した結果、前記検出値が前記所定の閾値未満の場合には、前記制御部は、前記照明光調整手段に対して前記照明手段の輝度をより低い輝度に調整する制御信号を送信し、その後、前記可変手段に対して前記クロック周波数をより低いクロック周波数に変更する制御信号を送信し、前記検出値が前記所定の閾値以上の場合には、前記制御部は、前記可変手段に対して前記クロック周波数をより低いクロック周波数に変更する制御信号を送信し、その後、前記照明光調整手段に対して前記照明手段の輝度をより低い輝度に調整する制御信号を送信する、
ことを特徴とする撮像装置。
【請求項２】
前記可変手段は、第一周波数を有する第一クロック信号を発生させる第一発振器と、前記第一周波数よりも低い第二周波数を有する第二クロック信号を発生させる第二発振器と、前記第一発振器及び前記第二発振器の切替動作を行う切替回路と、を備えて構成され、
前記計時手段が計測した経過時間が所定時間未満の場合には、前記切替回路は、前記第一発振器による前記第一クロック信号を前記駆動手段に送信し、
前記計時手段が計測した経過時間が所定時間以上になると、前記切替回路は、前記第二発振器による第二クロック信号を前記駆動手段に送信する、
ことを特徴とする請求項１に記載の撮像装置。
【請求項３】
前記可変手段が前記クロック周波数をより低いクロック周波数に変更した状態又は前記照明光調整手段が前記照明手段の輝度をより低い輝度に調整した状態において前記操作手段が操作されると、前記可変手段は、前記クロック周波数をより低いクロック周波数から変更前のクロック周波数に戻し、かつ、前記照明光調整手段は、前記照明手段の輝度をより低い輝度から変更前の輝度に戻す、
ことを特徴とする請求項１又は２に記載の撮像装置。
【請求項４】
前記計時手段が計測した経過時間が所定時間以上になった場合に、前記制御部は、前記可変手段に対する前記クロック周波数をより低いクロック周波数に変更する制御信号と、前記照明光調整手段に対する前記照明手段の輝度をより低い輝度に調整する制御信号と、を時間をずらして送信する、
ことを特徴とする請求項１乃至３のいずれかに記載の撮像装置。
【請求項５】
前記検出手段は、周囲光を測光する測光センサ、又は前記撮像手段から得られる画像信号の輝度成分を積算し、該積算値が所定の基準値になるように露出を制御する自動露出制御手段及びその自動露出制御手段による露出の制御値に基づいて被写体の明るさを検知する明るさ検知手段により構成される、
ことを特徴とする請求項１に記載の撮像装置。
【請求項６】
前記可変手段及び前記照明光調整手段の動作制御を行う制御部と、
前記計時手段が計測した経過時間が所定時間以上になった場合に、前記制御部による前記可変手段に対する前記クロック周波数をより低いクロック周波数に変更する動作と、前記照明光調整手段に対する前記照明手段の輝度をより低い輝度に調整する動作と、をユーザに選択させるための選択手段と、を更に備え、
前記制御部は、前記選択手段により選択された動作に対応する制御信号を前記可変手段又は前記照明光調整手段に択一的に送信する、又は前記選択された動作に対応する制御信号を相対的に早い時間に送信し、前記選択されなかった動作に対応する制御信号を相対的に遅い時間に送信する、
ことを特徴とする請求項１乃至３のいずれかに記載の撮像装置。
【請求項７】
前記表示手段は、液晶モニタであることを特徴とする請求項１乃至６のいずれかに記載の撮像装置。
【請求項８】
前記照明手段は、発光ダイオード又は蛍光管を含み、前記照明光調整手段は、前記発光ダイオード又は蛍光管から発する光量を調整することを特徴とする請求項１乃至７のいずれかに記載の撮像装置。
【発明の詳細な説明】
【技術分野】
【０００１】
本発明は撮像装置及び撮像装置の制御プログラムに係り、特に低電力下を図る技術に関する。
【背景技術】
【０００２】
デジタルカメラの低電力下の技術として、回路の動作クロックを下げてフレームレートをダウンする方法がある。特許文献１には、撮像信号制御回路への入力クロック信号を分周期によって可変制御する技術が開示されている。また、特許文献２〜４には、本体の操作ボタンに対して無操作の状態がある一定期間以上続くと、表示器の輝度をダウンさせたり、バックライトをＯＦＦにしたり、電源をＯＦＦにしたりする技術が開示されている。
【特許文献１】特開平９−１６３２３８号公報
【特許文献２】特開２００５−１３００３４号公報
【特許文献３】特開２０００−３６１４３号公報
【特許文献４】特開２００２―９９２４８号公報
【発明の開示】
【発明が解決しようとする課題】
【０００３】
カメラの動画表示のフレームレートをダウンすると、回路の動作クロックを下げることで消費電力の低減を図ることができるが、反面、動画の連続性が損なわれ追従性能も下がるというデメリットがある。
【０００４】
本発明は、使用者が撮影に集中しているときに影響を与えることなく、消費電力の低減を図ることができる撮像装置及び撮像装置の制御プログラムを提供することを目的とする。
【課題を解決するための手段】
【０００５】
上記課題を解決するため、本発明に係る撮像装置は、撮像レンズ及び撮像素子を含む撮像手段と、前記撮像素子から所定のクロック周波数に対応するフレームレートで画像信号を読み出す駆動手段と、前記クロック周波数を可変する可変手段と、ユーザからの指示入力を受け付けるための操作手段と、前記操作手段が受け付けた指示を実行完了してからの経過時間を計測する計時手段と、前記撮像手段から読み出された画像信号に基づくスルー画像を表示する表示手段と、前記表示手段の輝度を決定する照明手段と、前記照明手段の輝度を調整する照明光調整手段と、前記可変手段及び前記照明光調整手段の動作制御を行う制御部と、周囲の明るさを検出して検出値を出力する検出手段と、前記検出値と、所定の閾値とを比較する比較手段と、を備え、前記計時手段が計測した経過時間が所定時間以上になると、前記可変手段は、前記クロック周波数をより低いクロック周波数に変更し、前記駆動手段は、前記変更されたより低いクロック周波数に基づく同期信号に従って前記撮像素子からの画像信号の読み出しを行うと共に、前記照明光調整手段は、前記照明手段の輝度をより低い輝度に調整し、前記照明手段は調整されたより低い輝度により前記表示手段の輝度を決定し、前記比較手段が比較した結果、前記検出値が前記所定の閾値未満の場合には、前記制御部は、前記照明光調整手段に対して前記照明手段の輝度をより低い輝度に調整する制御信号を送信し、その後、前記可変手段に対して前記クロック周波数をより低いクロック周波数に変更する制御信号を送信し、前記検出値が前記所定の閾値以上の場合には、前記制御部は、前記可変手段に対して前記クロック周波数をより低いクロック周波数に変更する制御信号を送信し、その後、前記照明光調整手段に対して前記照明手段の輝度をより低い輝度に調整する制御信号を送信する、ことを特徴とする。
【０００６】
これにより、無操作状態が所定時間経過すると、撮像素子からの画像信号の読み出し動作のクロック周波数を下げることによりフレームレートを下げ、かつ表示装置の輝度を下げることができ、低電力化を図ることができる。また、周囲の明るさに応じてフレームレートを下げるか表示手段を暗くすることにより低電力化を図るかを決定することができる。
【０００７】
また、前記可変手段は、第一周波数を有する第一クロック信号を発生させる第一発振器と、前記第一周波数よりも低い第二周波数を有する第二クロック信号を発生させる第二発振器と、前記第一発振器及び前記第二発振器の切替動作を行う切替回路と、を備えて構成され、前記計時手段が計測した経過時間が所定時間未満の場合には、前記切替回路は、前記第一発振器による前記第一クロック信号を前記駆動手段に送信し、前記計時手段が計測した経過時間が所定時間以上になると、前記切替回路は、前記第二発振器による第二クロック信号を前記駆動手段に送信してもよい。
【０００８】
これにより、複数の発振器を切り換えてクロック周波数を変更することができる。
【０００９】
また、前記可変手段が前記クロック周波数をより低いクロック周波数に変更した状態又は前記照明光調整手段が前記照明手段の輝度をより低い輝度に調整した状態において前記操作手段が操作されると、前記可変手段は、前記クロック周波数をより低いクロック周波数から変更前のクロック周波数に戻し、かつ、前記照明光調整手段は、前記照明手段の輝度をより低い輝度から変更前の輝度に戻してもよい。
【００１０】
これにより、再度操作がされたときには、クロック周波数及び表示輝度を変更する前の状態に復帰させることができる。
【００１１】
また、前記計時手段が計測した経過時間が所定時間以上になった場合に、前記制御部は、前記可変手段に対する前記クロック周波数をより低いクロック周波数に変更する制御信号と、前記照明光調整手段に対する前記照明手段の輝度をより低い輝度に調整する制御信号と、を時間をずらして送信してもよい。
【００１２】
これにより、フレームレートが下がるときと表示手段が暗くなるときとのタイミングをずらすことができる。
【００１５】
前記検出手段は、周囲光を測光する測光センサ、又は前記撮像手段から得られる画像信号の輝度成分を積算し、該積算値が所定の基準値になるように露出を制御する自動露出制御手段及びその自動露出制御手段による露出の制御値に基づいて被写体の明るさを検知する明るさ検知手段により構成されてもよい。
【００１６】
また、本発明に係る撮像装置は、前記可変手段及び前記照明光調整手段の動作制御を行う制御部と、前記計時手段が計測した経過時間が所定時間以上になった場合に、前記制御部による前記可変手段に対する前記クロック周波数をより低いクロック周波数に変更する動作と、前記照明光調整手段に対する前記照明手段の輝度をより低い輝度に調整する動作と、をユーザに選択させるための選択手段と、を更に備え、前記制御部は、前記選択手段により選択された動作に対応する制御信号を前記可変手段又は前記照明光調整手段に択一的に送信する、又は前記選択された動作に対応する制御信号を相対的に早い時間に送信し、前記選択されなかった動作に対応する制御信号を相対的に遅い時間に送信してもよい。
【００１７】
これにより、フレームレートを下げるか表示手段を暗くすることにより低電力化を図るかをユーザが選択することができる。
【００１８】
また、前記表示手段は、液晶モニタであってもよい。
【００１９】
また、前記照明手段は、発光ダイオード又は蛍光管を含み、前記照明光調整手段は、前記発光ダイオード又は蛍光管から発する光量を調整してもよい。
【発明の効果】
【００２１】
この発明によると、ユーザが撮影に集中しているときに影響を与えることなく、ユーザが撮影に集中していないときには、ＬＣＤの輝度ダウンの制御と連動してフレームレートのダウンを行うことができ、より効率的に消費電力の低減を図ることができる。
【発明を実施するための最良の形態】
【００２２】
以下、添付した図面を参照し本発明の好ましい実施の形態を説明する。
【００２３】
＜第１実施形態＞
図１は、本発明の好ましい実施形態に係るデジタルカメラ（以下カメラと略す）３００の正面図である。
【００２４】
カメラ３００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００２５】
レンズ鏡筒６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００２６】
またカメラ３００には、非撮影時には撮影レンズ１０１の前面を覆って撮像レンズ１０１と外界とを遮ることで撮像レンズ１０１を保護する状態をつくり出すとともに、撮像時には撮像レンズを外界に露出するレンズカバー６１が設けられている。
【００２７】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。図１ではレンズカバー６１は開放状態となっている。
【００２８】
カメラ３００の上面には、レリーズスイッチ１０４と電源スイッチ１２１が配備されており、正面には、閃光発光管（ストロボ）１０５ａ、ＡＦ補助光ランプ１０５ｂ、セルフタイマーランプ１０５ｃ等が配備されている。
【００２９】
図２はカメラ３００の背面図である。カメラ３００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００３０】
カメラ３００の背面には、画像表示ＬＣＤ１０２、画像表示ＬＣＤ１０２の表示輝度を決定するバックライト１０６、切替レバー１２２、十字キー１２４、情報位置指定キー１２６等も設けられている。
【００３１】
図３は本発明に係るカメラ３００のブロック図である。カメラ３００にはユーザがこのカメラ３００を使用するときに種々の操作を行なうための操作部１２０が設けられている。この操作部１２０には、カメラ３００を作動させるための電源投入用の電源スイッチ１２１、撮影モードと再生モードと可視光通信モードとを自在に切り替える切替レバー１２２、オート撮影やマニュアル撮影等を選択するための撮影モードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６、左右方向に操作可能なレバースイッチで構成され、該スイッチを右方向に操作することで望遠（ＴＥＬＥ）方向にズーム移動し、左方向に操作することで広角（ＷＩＤＥ）方向にズーム移動するズームスイッチ１２７が備えられている。
【００３２】
また、カメラ３００には、撮影画像や再生画像等を表示するための画像表示ＬＣＤ１０２と、操作の手助けを行なうための操作ＬＣＤ表示１０３が備えられている。
【００３３】
このカメラ３００にはレリーズスイッチ１０４が配備されている。このレリーズスイッチ１０４によって撮影の開始指示がメインＣＰＵ２０へと伝えられる。このカメラ３００では切替レバー１２２によって撮影と再生と可視光通信の切り替えが自在になっていて、撮影を行なうときには切替レバー１２２が撮影側に切り替えられ、再生を行なうときには切替レバー１２２が再生側に切り替えられ、可視光通信を行うときは切替レバー１２２が可視光通信側に切り替えられる。また、カメラ３００には、閃光を発光する閃光発光管１０５ａを有する閃光発光装置が配備されている。
【００３４】
また、カメラ３００には、撮影レンズ１０１と、撮影レンズ１０１を経由して結像された被写体像をアナログの画像信号に変換する撮像素子であるＣＣＤセンサ１３２とが備えられている。
【００３５】
撮影レンズ１０１は、ズームレンズ１０１ａ，フォーカスレンズ１０１ｂ、絞り１３１を備えており、ズーミングを行うズーム用モータ１１０と、焦点調整を行うフォーカス用モータ１１１と、絞り調整を行う絞り用モータ１１２により、それぞれが駆動される。レンズ鏡胴６０の進退動力はズーム用モータ１１０よって供給される。レンズカバー６１の開閉動力はレンズカバー用モータ１１４によって供給され、レンズカバー用モータ１１４はモータドライバ６２によって駆動される。モータドライバ６２の駆動は、メインＣＰＵ２０又は測光・測距ＣＰＵ１３７によって制御される。
【００３６】
繰出量検出部７０は、レンズ鏡胴６０の繰り出し量を検出するセンサであり、ズームレンズ位置検出用のエンコーダなどで構成することができる。
【００３７】
撮像素子にＣＣＤセンサ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は様々であり、例えば本出願人による特許公開２０００−１１４５０２号公報０００３〜０００４段落に記載のようにすることができる。
【００３８】
また、カメラ３００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００３９】
さらに、カメラ３００には、白バランス・γ処理部１３３からのアナログ信号をデジタルのＲ，Ｇ，Ｂ画像データにＡ／Ｄ変換するＡ／Ｄ部１３４と、そのＡ／Ｄ部１３４からのＲ，Ｇ，Ｂ画像データを格納するバッファメモリ１３５が備えられている。
【００４０】
ＣＣＤ１３２の受光面にはＲ，Ｇ，Ｂの微小なカラーフィルタがマトリクス状に配列されており、Ｒ，Ｇ，Ｂの各色成分を含む撮像信号は、白バランス・γ処理部１３３で適当なレベルに増幅された後、Ａ／Ｄ部１３４によってＲ，Ｇ，Ｂの各画像データとされる。なお、ＣＣＤ１３２の画素配置はベイヤ型でもよいし、ハニカム型等各種の配列方式を採用してもよい。
【００４１】
本実施形態では、Ａ／Ｄ部１３４は、８ビットの量子化分解能を有し、白バランス・γ処理部１３３から出力されるアナログＲ，Ｇ，Ｂ撮像信号を、ＣＣＤセンサ１３２の受光量に応じ、レベル０〜２５５のＲ，Ｇ，Ｂデジタル画像データに変換して出力する。以下、ＣＣＤ１３２のＲ，Ｇ，Ｂの受光量に応じたＲ，Ｇ，Ｂデジタル画像データのレベルも受光量と呼ぶ。ただし、この量子化分解能はあくまで一例であって本発明に必須の値ではない。
【００４２】
ＣＣＤセンサ１３２は、詳細には、そのＣＣＤセンサ１３２に照射された被写体光により発生した電荷を可変の電荷蓄積時間（露光期間）の間蓄積することにより画像信号を生成するものである。ＣＣＤ１３２からは、ＣＣＤドライバ１３２ｃを介してタイミングジェネレータ（ＴＧ）部１３６から出力されるクロック信号に基づく垂直同期信号ＶＤに同期したタイミングでフレーム毎の画像信号が順次出力される。
【００４３】
タイミングジェネレータ（ＴＧ）部１３６には、切替回路１３６ｃを介して高周波発振器１３６ａと低周波発振器１３６ｂとが接続される。高周波発振器１３６ａと低周波発振器１３６ｂは共に水晶発振器により構成され、高周波発振器１３６ａの周波数は、低周波発振器１３６ｂよりも相対的に高い。高周波発振器１３６ａは、カメラ３００が標準的な使用状態（以下「標準モード」という）にあるときにＣＣＤ１３２から画像信号を読み出す読み出しタイミングを決定する高クロック周波数を発生させる。低周波発振器１３６ｂは、メインＣＰＵ２０の動作タイミングを決定するクロック周波数を発生させると共に、低電力下時における使用状態（以下「低電力モード」という）においてＣＣＤ１３２から画像信号を読み出す読み出しタイミングを決定する低クロック周波数を発生させる。切替回路１３６ｃは、メインＣＰＵ２０からの制御信号に従って高周波発振器１３６ａと低周波発振器１３６ｂとを切り換えて、標準モードにおいては高周波発振器１３６ａによる高クロック信号をＴＧ部１３６に送信し、低電力モードにおいては低周波発振器１３６ｂによる低クロック信号をＴＧ部１３６に送信する。
【００４４】
ＴＧ部１３６は、クロック信号をＣＣＤドライバ１３２ｃ、白バランスγ処理回路１３３、Ａ／Ｄ部１３４に送信する。ＣＣＤドライバ１３２ｃ、白バランスγ処理回路１３３、Ａ／Ｄ部１３４は、ＴＧ部１３６から送信されるクロック信号に同期して処理を行う。このクロック周波数により、画像表示ＬＣＤ１０２に表示されるスルー画像のフレームレートが決定される。本実施の形態に係るカメラ３００では、高周波発振器１３６ａによる高クロック信号に基づくフレームレートは毎秒３０フレーム（以下「標準フレームレート」という）であり、低周波発振器１３６ｂによる低クロック信号に基づくフレームレートは毎秒１５フレーム（以下「低フレームレート」という）であるが、フレームレートの数値は、上記の例に限らない。また、ＴＧ部１３６には、後述する測光・測距用ＣＰＵ１３７からの制御信号が入力される。
【００４５】
また、カメラ３００には、測光・測距用ＣＰＵ１３７と、充電・発光制御部１３８と、通信制御部１３９と、ＹＣ処理部１４０と、電源電池６８とが備えられている。
【００４６】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＴＧ部１３６および充電・発光制御部１３８を制御する。測光・測距用ＣＰＵ１３７は、レリーズスイッチ１０４が半押しされると、ＣＣＤ１３２によって周期的（１／30秒から１／60秒ごと）に得られる画像データに基づいて被写体の明るさの測光（ＥＶ値の算出）を行う。
【００４７】
即ち、ＡＥ演算部１５１は、Ａ／Ｄ部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力された積算値に基づいて被写体の平均的な明るさ（被写体輝度）を検出し、撮影に適した露出値（ＥＶ値）を算出する。
【００４８】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する。
【００４９】
レリーズスイッチ１０４が全押しされると、モータドライバ６２は、その決定した絞り値に基づいて絞り用モータ１１２を駆動し、絞り１３１の開口径を制御するとともに、決定したシャッタスピードに基づき、ＴＧ部１３６を介してＣＣＤ１３２での電荷蓄積時間を制御する（ＡＥ動作）。
【００５０】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００５１】
ＡＦ検出部１５０は、測光・測距ＣＰＵ１３７により選定された検出範囲に対応する画像データをＡ／Ｄ部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００５２】
測光・測距ＣＰＵ１３７は、この検出値を取得して対応する合焦位置に、フォーカスレンズ１０１ｂを移動させるようにモータドライバ６２に指令を出す。モータドライバ６２は、測光・測距ＣＰＵ１３７の指令に応じてフォーカス用モータ１１１を駆動し、フォーカスレンズ１０１ｂを合焦位置に移動させる（ＡＦ動作）。
【００５３】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、モータドライバ６２が接続されており、メインＣＰＵ２０が、ズームスイッチ１２７によってユーザからのＴＥＬＥ方向又はＷＩＤＥ方向へのズームの指令を取得した場合に、モータドライバ６２を制御してズーム用モータ１１０を駆動させることにより、ズームレンズ１０１ａをＷＩＤＥ端とＴＥＬＥ端との間で移動させる。
【００５４】
充電・発光制御部１３８は、閃光発光管１０５ａを発光させるために電源電池６８からの電力の供給を受けて図示しない閃光発光用のコンデンサを充電したり、その閃光発光管１０５ａの発光を制御したりする。充電・発光制御部１３８は，ＡＦ補助光ランプ１０５ｂやセルフタイマーランプ１０５ｃの発光も制御する。
【００５５】
通信制御部１３９には、通信ポート１０７が備えられており、この通信制御部１３９は、カメラ３００により撮影された被写体の画像信号をＵＳＢ端子が備えられたパーソナルコンピュータ等の外部装置に出力し、およびこのような外部装置からカメラ３００に画像信号を入力することにより、その外部装置との間のデータ通信を担うものである。また、このカメラ３００は、ロール状の写真フイルムに写真撮影を行なう通常のカメラが有するＩＳＯ感度１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。
【００５６】
また、カメラ３００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００５７】
また、カメラ３００には、メインＣＰＵ２０と、ＥＥＰＲＯＭ１４６と、ＹＣ／ＲＧＢデコーダ１４７と、表示用のドライバ１４８とが備えられている。メインＣＰＵ２０は、このカメラ３００全体の制御を行なう。ＥＥＰＲＯＭ１４６には、このカメラ３００固有の固体データやプログラム、標準モード及び低電力モードのバックライト１０６の輝度値（標準輝度及び低電力輝度）を決定する電流値情報、バックライト１０６の輝度及び高周波発振器１３６ａから低周波発振器１３６ｂに切り換えるタイミングを決定する無操作状態の経過時間などが格納されている。ＹＣ／ＲＧＢデコーダ１４７は、ＹＣ処理部１４０で生成されたカラー映像信号ＹＣを３色のＲＧＢ信号に変換して表示用のドライバ１４８を経由して画像表示ＬＣＤ１０２に出力する。
【００５８】
画像表示ＬＣＤ１０２の下面には、画像表示ＬＣＤ１０２の表示輝度を調整するためのバックライト１０６が配設される。バックライト１０６は、光源としての複数個の発光ダイオード（ＬＥＤ）と、このＬＥＤから発行された光を画像表示ＬＣＤ１０２の下面に導く導光板とから構成されている。メインＣＰＵ２０は、無操作状態が所定時間経過するとバックライト１０６の照明光が暗くなるようにドライバ１５３を介してＬＥＤの発光量（ＬＥＤに流す電流）を制御し、再度ユーザが各種操作ボタン１２０を操作したことを検出するとバックライト１０６の照明光が明るくなるようにドライバ１５３を介してＬＥＤの発光量を制御する。なお、光源として蛍光管を使用しているバックライトの場合には、蛍光管を駆動するインバータへのＰＷＮ（パルス幅変調）によってバックライトの輝度を調整する。
【００５９】
また、カメラ３００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ３００の各回路と電気的に接続される。
【００６０】
ＡＣアダプタ４８がカメラ３００に装填されＡＣ電源からＡＣアダプタ４８を介してカメラ３００に電力が供給される場合には、電源電池６８が電池収納室に装填されている場合であっても、優先的に当該ＡＣアダプタ４８から出力された電力がカメラ３００の各部に駆動用の電力として供給される。この場合、ＡＣアダプタ４８から出力される電力の一部は電源電池６８に供給され、電源電池６８はこの電力によって充電される。
【００６１】
また、ＡＣアダプタ４８が装填されておらず、かつ電源電池６８が電池収納室に装填されている場合には、当該電源電池６８から出力された電力がカメラ３００の各部に駆動用の電力として供給される。
【００６２】
電池残量検出部６５は、電源電池６８の電池残量を検出する回路である。メインＣＰＵ２０は、電池残量検出部６５の検出した電池残量に基づき、ＡＣアダプタ４８による電源電池６８の充電の進行状況を監視するプログラムを実行する。このプログラムはＥＥＰＲＯＭ１４６に記憶されている。
【００６３】
なお、図示しないが、カメラ３００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ３００の基本機能に給電する。
【００６４】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００６５】
ＲＴＣ（Real Time Clock）１５は計時専用のチップであり、電源電池６８やＡＣアダプタ４８からの給電がオフされていてもバックアップ電池から電源供給を受けて継続的に動作する。
【００６６】
図４は、メインＣＰＵ２０が実行するプログラムを示すブロック図である。プログラムは、プログラムである操作検出部２０ａ、計時部２０ｂ，周囲光測定部２０ｃ、発振器切替部２０ｄ、輝度制御部２０ｅの各プログラムから構成される。操作検出部２０ａは、操作部１２０が操作されたことを検出する。計時部２０ｂは、ＲＴＣ１５に計時させ、その結果を取得すると共にＥＥＰＲＯＭ１４６に格納された所定時間を示す閾値との比較を行う。周囲光測定部２０ｃは、測定・測距ＣＰＵ１３７からＥＶ値を取得し、ＥＥＰＲＯＭ１４６に格納された所定の明るさを示す閾値との比較を行う。発振器切替部２０ｄは、切替回路１３６ｃに対し高周波発振器１３６ａと低周波発振器１３６ｂとの切替を行うための制御信号を送信する。輝度制御部２０ｅは、標準輝度及びこれより暗い低電力モード輝度の変更を行うための制御信号をドライバ１５３に送信する。これらの各プログラムは、ＥＥＰＲＯＭ１４６に格納され、メインＣＰＵ２０が適宜図示しないメモリ上に読み出して実行する。なお、周囲光測定部２０ｃは、第一実施形態では必須ではなく、第二実施形態において用いられるプログラムである。
【００６７】
＜第一実施形態＞
上記カメラ３００の第一実施形態に係る動作処理について図５のフローチャートに従って説明する。
【００６８】
Ｓ１では、ユーザが電源スイッチ１２１を操作してカメラ３００の電源をＯＮにする（Ｓ１）。
【００６９】
Ｓ２では、メインＣＰＵ２０は、カメラを標準モードに設定する（Ｓ２）。標準モードでは、メインＣＰＵ２０は、ＥＥＰＲＯＭ１４６からバックライト１０６の標準モード時における輝度値（標準輝度値）を決定する電流値情報を読み出す。そして、メインＣＰＵ２０は、その電流値情報に基づく電気信号をドライバ１５３に送出し、ドライバ１５３は、バックライト１０６にその電気信号に基づく電流を送出する。これによりバックライト１０６は標準輝度に設定される。同時に、メインＣＰＵ２０は、切替回路１３６ｃに対し高周波発振器１３６ａに切り換えるための制御信号を送信する。切替回路１３６ｃは、高周波発振器１３６ａからの高クロック信号をＴＧ部１３６に送信する。ＴＧ部１３６は、ＣＣＤドライバ１３２ｃ、白バランスγ処理回路１３３、及びＡ／Ｄ部１３４に高クロック周波数に基づく同期信号を送信する。これにより、ＣＣＤドライバ１３２は、高クロック周波数に応じてＣＣＤ１３２から画像信号を読み出し、順次白バランスγ処理回路１３３、及びＡ／Ｄ部１３４において同期をとりつつ処理が実行される。その結果、標準フレームレートにより画像表示ＬＣＤ１０２にスルー画像が表示され、かつ画像表示ＬＣＤ１０２は標準輝度で表示される。
【００７０】
Ｓ３では、メインＣＰＵ２０は、ユーザが操作部１２０を操作したことを検出する（Ｓ３）。
【００７１】
Ｓ４では、メインＣＰＵ２０は、Ｓ３でユーザが操作部１２０により指示した操作処理が完了してからの経過時間をＲＴＣ１５に計測させる（Ｓ４）。ユーザが、切替レバー１２２で撮影モードを選択し、レリーズボタン１０４を操作して撮影を開始した場合には、ユーザが指示した操作処理を実行中である（撮影処理が完了していない）ため、計時は行わない。撮影指示以外の指示入力をするためにユーザが操作を行った場合にのみ計時は開始される。
【００７２】
Ｓ５では、メインＣＰＵ２０はＥＥＰＲＯＭ１４６から、無操作状態が所定時間経過したか否かを判断するための経過時間の閾値情報を読取り、ＲＴＣ１５が計測した経過時間との比較を行う。「Ｙ」であればＳ６へ、「Ｎ」であればＳ２へ戻る。
【００７３】
Ｓ６では、メインＣＰＵ２０は、カメラを低電力モードに設定する（Ｓ６）。低電力モードでは、メインＣＰＵ２０は、ＥＥＰＲＯＭ１４６からバックライト１０６の低電力モード時における輝度値（標準輝度値より暗い低電力輝度値）を決定する電流値情報を読み出す。そして、メインＣＰＵ２０は、その電流値情報に基づく電気信号をドライバ１５３に送出し、ドライバ１５３は、バックライト１０６にその電気信号に基づく電流を送出する。これによりバックライト１０６は標準輝度よりも暗い低電力輝度に設定される。同時に、メインＣＰＵ２０は、切替回路１３６ｃに低周波発振器１３６ｂに切り換えるための制御信号を送信する。切替回路１３６ｃは、低周波発振器１３６ｂからの低クロック信号をＴＧ部１３６に送信する。ＴＧ部１３６は、ＣＣＤドライバ１３２ｃ、白バランスγ処理回路１３３、及びＡ／Ｄ部１３４に低クロック信号に基づく同期信号を送信する。これにより、ＣＣＤドライバ１３２は、低クロック周波数に応じてＣＣＤ１３２から画像信号を読み出し、順次白バランスγ処理回路１３３、及びＡ／Ｄ部１３４において同期をとりつつ処理が実行される。その結果、標準フレームレートよりも低い低電力フレームレートに基づくスルー画像が画像表示ＬＣＤ１０２に表示され、かつ画像表示ＬＣＤ１０２は低電力輝度で表示される。
【００７４】
Ｓ７では、メインＣＰＵ２０は、再度ユーザが操作部１２０を操作したことを検出したか否かを判定する（Ｓ７）。「Ｙ」であればＳ８へ、「Ｎ」であればＳ９へ進む。
【００７５】
Ｓ８では、メインＣＰＵ２０は、Ｓ２と同様、標準モードに設定する（Ｓ８）。
【００７６】
Ｓ９では、メインＣＰＵ２０は、電源スイッチ１２１がＯＦＦされた否かを判定する（Ｓ９）。「Ｙ」であれば処理を終了し、「Ｎ」であればＳ６へ戻る。
【００７７】
本実施の形態により、ユーザが指定した操作を完了してから所定の時間が経過すると、フレームレートをダウンすると共に画像表示ＬＣＤ１０２のバックライト１０６の輝度をダウンすることができ、低電力化を図ることができる。また、再度、ユーザが操作部１２０を操作すると、標準モードに復帰することができる。そのため、ユーザが撮影しているときにはそれを妨げることなく低電力化を図ることができる。
【００７８】
なお、本実施形態では、標準モードと低電力モードとをバックライト１０６の輝度調整及びクロック周波数切替を用いて行ったが、クロック周波数切替のみを用いて標準モードと低電力モードと実現してもよい。すなわち、画像表示ＬＣＤ１０２の輝度は標準モード及び低電力モードにおいて同じであるが、標準モードにおいては高周波発振器１３６ａに切替て高クロック信号に基づいてＣＣＤ１３２からの画像信号の取り込みやそれに続くアナログフロントエンド処理を行い、低電力モードにおいて低周波発振器１３６ｂに切り換えては低クロック信号に基づいて上記処理を行う。これにより、標準モード及び低電力モードにおいてフレームレートを調整して低電力化を図ることができる。
【００７９】
＜第二実施形態＞
第二実施形態では、標準モードから低電力モードに切り換えたときに、フレームレートを下げるタイミングと、バックライト１０６の輝度を下げるタイミングとをずらした態様である。第一実施形態が、標準モードから低電力モードに切り換えたときに、フレームレートとバックライト１０６の輝度とを同時に下げた実施形態であるのに対し、本実施形態では、フレームレートの変更とバックライト１０６の輝度変更とのタイミングにタイムラグを設ける点で異なる。なお、本実施形態は、図５のフローチャートにおいてステップＳ６の「低電力モードに設定」の処理に相当し、その他の処理の流れは、図５のフローチャートと同様である。
【００８０】
カメラ３００の周囲環境がそれほど明るくないところでは、バックライト１０６の輝度を下げたとしても極端に画像表示ＬＣＤ１０２の視認性が悪くならない。そこで、周囲光がそれほど明るくないところでは、まずバックライト１０６の輝度を下げ、その後しばらくしてからフレームレートを下げる処理（フレームレート優先処理）を行う。一方、周囲光が相対的に明るい場合には、ＬＣＤの輝度を下げると視認性が著しく損なわれる恐れがある。そこで、フレームレートよりもＬＣＤの輝度を優先し、まず、フレームレートを下げ、その後ＬＣＤの輝度を下げる処理（ＬＣＤ輝度優先処理）を行う。
【００８１】
図６（ａ）は、フレームレート優先処理を説明する模式図、図６（ｂ）は、ＬＣＤ輝度優先処理を説明する模式図である。
【００８２】
フレームレート優先処理では、無操作時間がＡ（例えば１０〜１５秒）続くと、まず、画像表示ＬＣＤ１０２のバックライト１０６の輝度を低減する。更に無操作時間が経過し、Ｂ（例えば２０〜３０秒）経過すると、フレームレートのダウンを行う。この状態で、ユーザが再度操作を行うと、バックライト及びフレームレートを同時に標準モードに戻す。
【００８３】
ＬＣＤ輝度優先処理では、無操作時間がＡ（例えば１０〜１５秒）続くと、まず、フレームレートのダウンを行う。更に無操作時間が経過し、Ｂ（例えば２０〜３０秒）経過すると、画像表示ＬＣＤ１０２のバックライト１０６の輝度を低減する。この状態で、ユーザが再度操作を行うと、バックライト及びフレームレートを同時に標準モードに戻す。
【００８４】
図７は、本実施の形態の処理の流れを示すフローチャートである。
【００８５】
本実施の形態に係る処理は、図５のステップＳ１〜Ｓ５に続いて行われる。図５のステップＳ５において、無操作状態がＡ（１０〜１５秒）以上続いたと判断されると、ステップＳ６０１に進む。
【００８６】
ステップＳ６０１では、メインＣＰＵ２０は、周囲光を測光する（Ｓ６０１）。メインＣＰＵ２０は、測光・測距用ＣＰＵ１３７から被写体の明るさを示すＥＶ値（検出値）を取得する。
【００８７】
ステップＳ６０２では、周囲光が所定の明るさよりも暗いか否かを判定する（Ｓ６０２）。メインＣＰＵ２０は、Ｓ６０１で取得したＥＶ値と、ＥＥＰＲＯＭ１４６に格納された閾値とを比較する。この閾値は、周囲光が所定の明るさよりも暗いか否かを判定するための閾値である。ＥＶ値（検出値）が閾値よりも低い場合には、メインＣＰＵ２０は、所定の明るさよりも暗いと判定し（「Ｙ」に相当）、Ｓ６０３へ進む。ＥＶ値（検出値）が閾値以上である場合には、メインＣＰＵ２０は、所定の明るさよりも明るいと判定し（「Ｎ」に相当）、Ｓ６０７へ進む。Ｓ６０３〜Ｓ６０６はフレームレート優先処理である。Ｓ６０７〜Ｓ６１０はＬＣＤ輝度優先処理である。
【００８８】
ステップＳ６０３では、メインＣＰＵ２０は、ＥＥＰＲＯＭ１４６から低電力モードにおけるバックライト１０６の輝度値（低輝度値）を決定する電流値情報を読み出し、その電流値情報に基づいてドライバ１５３に電気信号を送出する。ドライバ１５３は、バックライト１０６にその電気信号に基づく電流を送出する。これにより、画像表示ＬＣＤ１０２は、低輝度値に基づく明るさに変更され、表示画面は相対的に暗くなる。
【００８９】
ステップＳ６０４では、図５のステップＳ４で開始した計時処理を継続する（Ｓ６０４）。メインＣＰＵ２０は、ＲＴＣ１５に計時処理を継続させる。
【００９０】
ステップＳ６０５では、所定時間が経過したか否かを判断する（Ｓ６０５）。メインＣＰＵ２０は、ＥＥＰＲＯＭ１４６から、所定時間（図６における無操作時間Ｂ：２０〜３０秒）を示す情報を読み出し、Ｓ６０４でＲＴＣ１５が計測した経過時間との比較を行う。「Ｙ」であればＳ６０６へ、「Ｎ」であればＳ６０４へ戻る。
【００９１】
ステップＳ６０６では、高周波発振器１３６ａから低周波発振器１３６ｂへ切り換える（Ｓ６０６）。メインＣＰＵ２０は、切替回路１３６ｃに対し、高周波発振器１３６ａから低周波発振器１３６ｂへ切り換える指示を示す制御信号を送信する。切替回路１３６ｃは、その制御信号に従って高周波発振器１３６ａから低周波発振器１３６ｂへ切り換える。そして、低周波発振器１３６ｂによる低クロック信号を、ＴＧ部１３６へ送信する。ＴＧ部１３６は、低クロック信号に基づく同期信号をＣＣＤドライバ１３２Ｃ、白バランスγ処理回路１３３、Ａ／Ｄ部１３４に送信する。そして、図５のフローチャートにおけるステップＳ７へ進む。
【００９２】
ステップＳ６０７〜Ｓ６１０では、周囲光が相対的に明るい場合であるので、ＬＣＤ輝度優先処理を行う。ステップＳ６０７では、メインＣＰＵ２０は、高周波発振器１３６ａから低周波発振器１３６ｂへの切替を行う（Ｓ６０７）。この処理は、ステップＳ６０６と同様である。
【００９３】
ステップＳ６０８では、ステップＳ６０４と同様、計時処理を継続する（Ｓ６０８）。ステップＳ６０９では、Ｓ６０５と同様、所定時間が経過したか否を判断し（Ｓ６０９）、「Ｙ」であればＳ６１０へ、「Ｎ」であればＳ６０８へ戻る。ステップＳ６１０では、Ｓ６０３と同様、バックライトの輝度を下げる処理を行う（Ｓ６１０）。そして、図５のフローチャートにおけるステップＳ７へ進む。
【００９４】
なお、本実施の形態では、被写体輝度を用いて周囲の明るさを判定したが、周囲光を測定するための測光センサを別途設け、その測光センサの検出値と閾値とを比較して上記処理を行ってもよい。
【００９５】
＜その他の実施形態＞
第二実施形態では、周囲光を測光し、その結果に基づいてフレームレート優先処理とＬＣＤ輝度優先処理とを選択したが、フレームレート優先処理とＬＣＤ輝度優先処理とを選択する操作ボタンを設け、ユーザに所望する処理を選択させてもよい。例えば、動きがゆっくりまたは静止した被写体を撮影する場合には、フレームレートが下がっていても撮影画角の確認及び再生時に及ぼす影響が少ない。そこで、ユーザが、操作ボタンによりＬＣＤ輝度優先処理を選択すると、周囲光の明るさを問わずフレームレートを下げることにより低電力化を図るように構成してもよい。
【００９６】
また、上記実施形態ではカメラ３００の表示手段として画像表示ＬＣＤを用いたが表示手段は液晶パネルに限らず、例えば有機ＥＬを用いて構成してもよい。この場合、有機ＥＬそのものが表示手段及び照明手段となり、照明輝度調整手段は、この有機ＥＬにかける電流を調整する制御回路として構成する。また、反射型の機能有するディスプレイで、表示面を照らすためのフロントライトを別途設けている場合には、上記ライト及びそのライトの照明輝度を調整する手段を備えることにより有機ＥＬや反射型のディスプレイにも本発明を適用することができる。
【００９７】
さらに、上記実施形態では、デジタルカメラ３００を用いて説明したが、本発明は、カメラ付携帯電話、カメラ付ＰＤＡなど、カメラ機能を有する機器に適用可能である。
【図面の簡単な説明】
【００９８】
【図１】デジタルカメラの正面図
【図２】デジタルカメラの背面図
【図３】デジタルカメラのブロック構成図
【図４】プログラムブロック図
【図５】第一実施形態に係る処理の流れを示すフローチャート
【図６】第二実施形態を説明する模式図
【図７】第二実施形態に係る処理の流れを示すフローチャート
【符号の説明】
【００９９】
１４：発光制御ＣＰＵ、１７：ＬＥＤ群、１９：ＬＥＤドライバ、１６：通信用発光装置、２０：メインＣＰＵ、６０：レンズ鏡胴、６１：レンズカバー、６２：モータドライバ、６３：赤外線受光回路、１０１：撮影レンズ、１０１ａ：ズームレンズ、１０１ｂ：フォーカスレンズ、１１０：ズーム用モータ、１１１：フォーカス用モータ、１１２：絞り用モータ、１１４：レンズカバー用モータ、１２５：ＬＣＤ明るさアップキー、１３１：絞り、１３２：ＣＣＤ、１３４：Ａ／Ｄ部、１５０：ＡＦ検出部、１５１：ＡＥ演算部
【図１】
0004534253.tif 000002
【図２】
0004534253.tif 000003
【図３】
0004534253.tif 000004
【図４】
0004534253.tif 000005
【図５】
0004534253.tif 000006
【図６】
0004534253.tif 000007
【図７】
0004534253.tif 000008